(57)【要約】【課題】読取る必要がない帳票が混在している場合であっても、その帳票を抜き取ることなく、読み取りが必要な帳票だけを読取るようにする。【解決手段】読取り順位に対応させてそれぞれの帳票２０のイメージデータの読取要否を示す帳票読取制御情報２１を帳票２０から読取るスキャナ部と、その帳票読取制御情報２１を認識して記憶部１４に記憶させる帳票読取制御情報認識手段と、それぞれの帳票の読取り順位を計測する帳票順位計測手段と、帳票２０の読取り順位を記憶部１４に記憶させた帳票読取制御情報２１と照合して該帳票のイメージデータの読取要否を判定する帳票読取要否判定手段とを設けた。そして、その帳票読取要否判定手段が、読取要と判定した読取り順位の帳票２０のイメージデータのみをスキャナ部で読取り、記憶部１４に記憶させるようにした。【選択図】        図４
2009064227.tif 000002
【特許請求の範囲】
【請求項１】
帳票吸入部に載置された帳票を１枚ずつ分離して順次その帳票のイメージデータを読取るスキャナ部を備えた帳票読取装置において、
読取り順位に対応させてそれぞれの帳票のイメージデータの読取要否を示す帳票読取制御情報を帳票から読取るスキャナ部と、
前記スキャナ部で読取った帳票読取制御情報を認識して記憶部に記憶させる帳票読取制御情報認識手段と、
前記スキャナ部が読取るそれぞれの帳票の読取り順位を計測する帳票順位計測手段と、
前記帳票順位計測手段が計測した帳票の読取り順位を前記帳票読取制御情報認識手段が記憶部に記憶させた帳票読取制御情報と照合して該帳票のイメージデータの読取要否を判定する帳票読取要否判定手段とを設け、
前記帳票読取要否判定手段が読取要と判定した読取り順位の帳票のイメージデータのみを前記スキャナ部で読取り、記憶部に記憶させるようにしたことを特徴とする帳票読取装置。
【請求項２】
請求項１の帳票読取装置において、
前記帳票読取制御情報認識手段は、前記スキャナ部で最初の帳票から読取った帳票読取制御情報を記憶部に記憶させるようにしたことを特徴とする帳票読取装置。
【請求項３】
請求項１または請求項２の帳票読取装置において、
帳票の詰まり等の異常が発生したことおよびその異常が復旧したことを検知する異常処理手段を設け、
前記異常処理手段が発生した異常の復旧を検知したとき、前記帳票読取制御情報認識手段は、前記異常処理手段で異常の復旧を検知した帳票から読取った帳票読取制御情報を記憶部に記憶させるようにしたことを特徴とする帳票読取装置。
【請求項４】
請求項１の帳票読取装置において、
自帳票を識別するための自己帳票ＩＤと、読取り順位に対応させてそれぞれの帳票を識別するための帳票ＩＤと、その読取り順位ならびに該帳票ＩＤに対応させてそれぞれの帳票のイメージデータの読取要否とを示す帳票読取制御情報を帳票から読取るスキャナ部と、
前記帳票読取制御情報認識手段が記憶部に記憶させた帳票読取制御情報の自己帳票ＩＤを前記帳票順位計測手段が計測した帳票の読取り順位に対応した前記帳票読取制御情報の帳票ＩＤと照合して帳票読取順位の誤りを検知する帳票順位誤り検知手段とを設け、
前記帳票順位誤り検知手段で帳票読取順位の誤りを検知したとき、前記帳票読取要否判定手段が、帳票の読取り順位にかかわらず前記帳票読取制御情報の帳票ＩＤに基づいて帳票の読取要否を判定するようにしたことを特徴とする帳票読取装置。
【請求項５】
請求項４の帳票読取装置において、
前記帳票順位誤り検知手段で帳票読取順位の誤りを検知した後、前記スキャナ部がそれぞれの帳票のイメージデータを強制的に読取り記憶部に記憶させるようにしたことを特徴とする帳票読取装置。
【請求項６】
請求項５の帳票読取装置において、
前記帳票読取制御情報認識手段が記憶部に記憶させた帳票読取制御情報の自己帳票ＩＤを前記帳票順位計測手段が計測した帳票の読取り順位に対応した前記帳票読取制御情報の帳票ＩＤと照合して帳票読取順位の復旧を検知する帳票順位復旧検知手段とを設け、
前記帳票順位復旧検知手段で帳票読取順位の復旧を検知した後、前記スキャナ部が強制的に読取り記憶部に記憶させたそれぞれの帳票のイメージデータから前記帳票読取制御情報の帳票ＩＤに基づいて帳票の読取が不要と判定された帳票ＩＤのイメージデータを消去するようにしたことを特徴とする帳票読取装置。
【発明の詳細な説明】
【技術分野】
【０００１】
本発明は、複数の帳票を１枚ずつ読取る帳票読取装置に関し、特に読取りが必要な帳票だけを読取る帳票読取装置に関する。
【背景技術】
【０００２】
従来の帳票読取装置は、読取り対象の帳票を載置するためのホッパ等に載置された複数種類の定型帳票や非定型帳票を１枚ずつ読取り、定型帳票は読み取った帳票のイメージから認識した帳票ＩＤに基づいて読取り、また非定型帳票や帳票ＩＤが認識できなかった定型帳票は最大の帳票サイズで帳票全体画像を取得して登録するようにして混在した定型帳票および非定型帳票を読取るようにしている（例えば、特許文献１参照）。あるいは、一旦帳票を読み取った後に、イメージデータを認識して不要なイメージデータは削除し、必要なイメージデータのみを残すという処理も行われる。
【特許文献１】特開平１０−３２０４８８号公報（段落「００２０」〜段落「００２２」、図１）
【発明の開示】
【発明が解決しようとする課題】
【０００３】
しかしながら、上述した従来の技術においては、載置された複数枚の帳票のすべてを読取るようにしているため、読取る必要がない帳票が混在している場合、その帳票を抜き取る必要があるという問題がある。
例えば、銀行等の金融機関で取扱う帳票には、一人の顧客につき帳票読取装置で読取る必要のある申込書、帳票読取装置で読取る必要のない暗証番号が記入された帳票等からなる帳票群を一括して処理するようにしているが、従来の技術においては、係員がその帳票群から帳票読取装置で読取る必要のない帳票を抜き取る作業が必要であり、係員に作業負担がかかるというという問題がある。あるいは、帳票を読み取った後にイメージを認識して、イメージを残す必要があるか否かを判断する必要があるので、読み取る必要のない帳票のイメージを取得しなければならないという問題がある。
【０００４】
本発明は、このような問題を解決することを課題とする。
【課題を解決するための手段】
【０００５】
そのため、本発明は、帳票吸入部に載置された帳票を１枚ずつ分離して順次その帳票のイメージデータを読取るスキャナ部を備えた帳票読取装置において、読取り順位に対応させてそれぞれの帳票のイメージデータの読取要否を示す帳票読取制御情報を帳票から読取るスキャナ部と、前記スキャナ部で読取った帳票読取制御情報を認識して記憶部に記憶させる帳票読取制御情報認識手段と、前記スキャナ部が読取るそれぞれの帳票の読取り順位を計測する帳票順位計測手段と、前記帳票順位計測手段が計測した帳票の読取り順位を前記帳票読取制御情報認識手段が記憶部に記憶させた帳票読取制御情報と照合して該帳票のイメージデータの読取要否を判定する帳票読取要否判定手段とを設け、前記帳票読取要否判定手段が読取要と判定した読取り順位の帳票のイメージデータのみを前記スキャナ部で読取り、記憶部に記憶させるようにしたことを特徴とする。
【発明の効果】
【０００６】
このようにした本発明は、読み取る必要がない帳票のイメージの取得を行わない動作が可能となり、読取りの効率が向上する。すなわち、読取る必要がない帳票が混在している場合であっても、その帳票を抜き取る作業が必要なく、操作者の作業負担を軽減することができるという効果が得られる。あるいは、読取る必要がない帳票を一旦読み取ってイメージデータを残すか否かを判断する必要がなく、読取りの処理効率を向上することができるという効果が得られる。
【発明を実施するための最良の形態】
【０００７】
以下、図面を参照して本発明による帳票読取装置の実施例を説明する。
【実施例１】
【０００８】
図１は第１の実施例におけるデータエントリシステムの構成を示すブロック図、図２は第１の実施例における帳票読取装置の構成を示すブロック図である。
１は帳票読取装置であり、金融機関等の事務センタ等のセンタに設置されるものである。この帳票読取装置１は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段、帳票を光学的に読取ってイメージデータを取得するスキャナやキーボード、マウス等の入力手段、ＣＲＴ（Ｃａｔｈｏｄｅ  Ｒａｙ  Ｔｕｂｅ）、液晶ディスプレイ等の表示手段および通信手段等を備えるものである。また、この帳票読取装置１は通信回線４を介して他の装置と相互に通信可能に接続されている。
【０００９】
帳票読取装置１で読取る帳票は、例えば、各種届けを申し込む諸届け帳票、投資信託購入募集申込書等の投信帳票、および外貨預金申込書等であり、所定の形式を有するものとする。
なお、この帳票読取装置１の構成の詳細は後述する。
２は帳票識別装置であり、金融機関等の事務センタ等のセンタに設置され、帳票読取装置１で読取った帳票のイメージデータを帳票ＩＤ毎に分類するものである。この帳票識別装置２は、ＣＰＵ、ＭＰＵ等の演算および制御手段、磁気ディスク、半導体メモリ等の記憶手段、キーボード、マウス等の入力手段、ＣＲＴ、液晶ディスプレイ等の表示手段および通信手段等を備えるものである。また、この帳票識別装置２は通信回線４を介して帳票読取装置１等の他の装置と相互に通信可能に接続されている。
【００１０】
３は帳票ＤＢ（データベース）サーバであり、金融機関等の事務センタ等のセンタに設置され、帳票識別装置２で分類された帳票のイメージデータを帳票の種類を識別するための情報である帳票ＩＤと関連付けて記憶するサーバコンピュータである。この帳票ＤＢサーバ３はＣＰＵ、ＭＰＵ等の演算および制御手段、磁気ディスク、半導体メモリ等の記憶手段および通信手段等を備え、通信回線４を介して帳票読取装置１および帳票識別装置２等の他の装置と相互に通信可能に接続されている。
【００１１】
５は帳票イメージ参照端末であり、金融機関等の営業店に設置され、通信回線４を介して接続されている帳票ＤＢサーバ３に記憶された帳票のイメージデータを受信し、表示部に表示させることができるものである。この帳票イメージ参照端末５はＣＰＵ、ＭＰＵ等の演算および制御手段、磁気ディスク、半導体メモリ等の記憶手段および通信手段等を備え、通信回線４を介して帳票読取装置１、帳票識別装置２、および帳票ＤＢサーバ３等の他の装置と相互に通信可能に接続されている。
【００１２】
６はＰＣであり、金融機関等の事務センタ等のセンタに設置された通常のパーソナルコンピュータである。このＰＣ６は通信回線を介して帳票読取装置１と相互に通信可能に接続され、読取るべき帳票に記載された罫線や文字等の位置を識別するための識別パターン情報を帳票読取装置１へ送信することができるようになっている。帳票読取装置１は受信したその情報に基づいて帳票のイメージデータを読取るものとする。
【００１３】
このようにデータエントリシステムは帳票読取装置１、帳票識別装置２、帳票ＤＢサーバ３、通信回線４、帳票イメージ参照端末５、およびＰＣ６等で構成されたものである。
図２は第１の実施例における帳票読取装置の構成を示すブロック図であり、図２にしたがって帳票読取装置１を説明する。
図２において、１１は表示部であり、ＣＲＴ、液晶ディスプレイ等の表示手段である。
【００１４】
１２は入力部であり、キーボード、マウス等の入力手段である。
１３はスキャナ部であり、ＣＣＤ（Ｃｈａｒｇｅ  Ｃｏｕｐｌｅｄ  Ｄｅｖｉｃｅ）カメラ等で構成され、帳票のイメージデータを読取るためのものである。このスキャナ部１３は図示しない帳票吸入部に載置された帳票を図示しない帳票分離搬送手段により１枚ずつ分離して搬送し、その帳票のイメージデータを読取ることができるようになっている。すなわち、帳票吸入部に載置された複数の帳票を連続して読取ることができるようになっている。
【００１５】
また、スキャナ部１３は帳票の所定の位置に予め記載された帳票のイメージデータの読取り要否を制御するための帳票読取制御情報を読取ることができるようになっている。
１４は記憶部であり、磁気ディスク、半導体メモリ等の記憶手段である。この記憶部１４には帳票読取装置１全体の動作を制御する制御プログラム（ソフトウェア）やスキャナ部１３で読取った帳票の枚数、読取ったそれぞれの帳票のイメージデータ等を記憶する。
【００１６】
１５は制御部であり、ＣＰＵ等の演算および制御手段等で構成されたものである。この制御部１５は表示部１１、入力部１２、スキャナ部１３、記憶部１４および通信回線４を介してその装置との間の通信を制御する図示しない通信部を含めて帳票読取装置１全体の動作を記憶部１４に格納された制御プログラム（ソフトウェア）に基づいて制御する。
また、制御部１５はスキャナ部１３で読取る帳票の順位を計測する機能である帳票順位計測手段を有し、またそれぞれの帳票に記載された後述する帳票読取制御情報を文字として認識する文字認識機能である帳票読取制御情報認識手段も有している。ここで、帳票の順位とは、ある帳票がそのセット中の帳票群の何番目に読み取られたものかを示す情報である。
【００１７】
上述した構成の作用について説明する。
なお、以下に説明する各実施例における各部の動作は、図示しないメモリや磁気ディスク等の記憶手段に格納されたプログラム（ソフトウェア）に基づいて図示しない中央処理装置等の制御手段により制御される。
まず、データエントリシステムの帳票読取り処理を図３の第１の実施例における帳票読取り処理の流れを示す説明図に基づいて説明する。
【００１８】
図３において、帳票読取装置１は操作者の操作を受け付けて帳票２０のイメージデータを読取る。ここで、帳票２０は、例えば顧客１、顧客２、顧客３のように顧客毎に所定の枚数の帳票群を形成するように帳票読取装置１の帳票吸入部にまとめて載置され、帳票読取装置１の制御部１５の指示によりスキャナ部１３は１枚ずつ帳票２０のイメージデータを読取るものとする。
【００１９】
また、帳票読取装置１の記憶部１４には、予めＰＣ６により送信された識別パターン情報が記憶されているものとし、制御部１５はこの識別パターン情報に基づいて帳票２０のイメージデータをスキャナ部１３に読取らせるものとする。
帳票２０のイメージデータを読取ると帳票読取装置１の制御部１５は通信回線４および通信部を介して帳票識別装置２へ読取った帳票２０のイメージデータを送信する。
【００２０】
帳票識別装置２は記憶手段である記憶部に予め記憶された帳票ＩＤパターン情報に基づいて受信した帳票２０のイメージデータを帳票ＩＤ毎に分類し、帳票ＤＢサーバ３へ送信する。例えば、読取った帳票２０の帳票ＩＤが０１〜０９のイメージデータを帳票ＤＢサーバ３ａ、帳票ＩＤが１１〜１９のイメージデータを帳票ＤＢサーバ３ｂへ送信するものとする。したがって、帳票ＩＤが０１の帳票２０のイメージデータは帳票ＤＢサーバ３ａへ、帳票ＩＤが１２の帳票２０のイメージデータは帳票ＤＢサーバ３ｂへ送信される。
【００２１】
帳票ＤＢサーバ３は受信した帳票２０のイメージデータを帳票ＩＤに関連付けて記憶手段に記憶させる。
帳票２０のイメージデータを帳票ＩＤに関連付けて記憶手段に記憶させた帳票ＤＢサーバ３は営業店の帳票イメージ参照端末５からの要求に応じて受信した帳票ＩＤに基づいて記憶手段を検索して帳票２０のイメージデータを抽出してその帳票イメージ参照端末５へ送信する。
【００２２】
なお、帳票ＤＢサーバ３は上述したように複数台設けることなく、１台の構成としてもよい。
このようにしてデータエントリシステムは帳票２０のイメージデータを読取り、帳票ＤＢサーバ３の記憶手段にそのイメージデータを記憶させる。
次に、帳票読取装置１が帳票２０を読取る処理を図４の第１の実施例における帳票読取装置の帳票読取り処理の説明図、図５の第１の実施例における帳票読取制御情報の構成を示す説明図、および図６の第１の実施例における帳票読取り順序を示す説明図に基づいて説明する。
【００２３】
図４において、帳票読取装置１が読取る帳票２０には帳票読取制御情報２１が予め所定の位置に印刷等されているものとする。
ここで、帳票読取制御情報２１を説明する。
帳票読取制御情報２１は図５（ａ）に示すように自己の帳票を識別するための帳票ＩＤ２１１（自己帳票ＩＤ）、顧客毎の帳票群の枚数を示す１セットの枚数２１２、およびイメージデータを読取る必要がある帳票ＩＤならびに読取る必要がない帳票ＩＤを示す読取要否２１３で構成されている。
【００２４】
例えば、図５（ｂ）に示すように帳票ＩＤが“１”の帳票を示す帳票ＩＤ２１１は「１」、顧客毎の帳票群が５枚で構成されていることを示す１セットの枚数２１２は「５」、１枚目、３枚目、５枚目の帳票２０を読取る必要があり、２枚目、４枚目の帳票２０を読取る必要がないことを示す読取要否２１３は「Ｒ１Ｎ８Ｒ７Ｎ６Ｒ９」となる。
読取要否２１３のＲは読取る必要があることを示し、Ｎは読取る必要がないことを示す。また、ＲまたはＮの次の数字は帳票ＩＤを示し、ＲまたはＮの文字および帳票ＩＤを示す数字を１組として読取る帳票の順序を示している。
【００２５】
したがって、読取要否２１３が「Ｒ１Ｎ８Ｒ７Ｎ６Ｒ９」の場合、先頭２文字の「Ｒ１」で１枚目の帳票は読取る必要がありまたその帳票ＩＤは１、次の２文字の「Ｎ８」で２枚目の帳票は読取る必要がなくまたその帳票ＩＤは８、次の２文字の「Ｒ７」で３枚目の帳票は読取る必要がありまたその帳票ＩＤは７、次の２文字の「Ｎ６」で４枚目の帳票は読取る必要がなくまたその帳票ＩＤは６、次の２文字の「Ｒ９」で５枚目の帳票は読取る必要がありまたその帳票ＩＤは９を示している。
【００２６】
なお、帳票読取制御情報２１はすべての帳票２０に印刷等されているものとする。
図４に戻り、帳票読取装置１は１枚目の帳票２０に記載された帳票読取制御情報２１を読取り、読取った帳票読取制御情報２１の１セットの枚数２１２および読取要否２１３にしたがって顧客毎の帳票群を読取る。
例えば、図６に示す帳票読取制御情報２１が記載された１０枚の帳票２０を読取る動作は以下のようになる。
【００２７】
まず、帳票読取装置１の制御部１５の指示によりスキャナ部１３は最初の帳票２０である１枚目の帳票２０に記載された帳票読取制御情報２１を読取る。制御部１５は読取った帳票読取制御情報２１の帳票ＩＤ２１１から当該帳票ＩＤは「１」、１セットの枚数２１２から帳票群は「５枚」、読取要否２１３から「１枚目、３枚目、５枚目の帳票２０を読取る必要があり、２枚目、４枚目の帳票２０は読取る必要がないこと」を認識して記憶部１４に記憶させる。
【００２８】
読取要否２１３から「１枚目、３枚目、５枚目の帳票２０を読取る必要があり、２枚目、４枚目の帳票２０は読取る必要がない」と判定する帳票読取装置１の帳票読取要否判定手段としての制御部１５の指示によりスキャナ部１３は帳票順位計測手段で１枚目と計測された帳票２０のイメージデータを読取る。
次に、帳票読取装置１の制御部１５の指示によりスキャナ部１３は２枚目の帳票２０に記載された帳票読取制御情報２１を読取るが、制御部１５（帳票読取要否判定手段）は既に読取った１枚目の帳票２０に記載された帳票読取制御情報２１にしたがい２枚目の帳票２０のイメージデータをスキャナ部１３で読取らない。
【００２９】
次に、帳票読取装置１の制御部１５の指示によりスキャナ部１３は３枚目の帳票２０に記載された帳票読取制御情報２１を読取り、制御部１５（帳票読取要否判定手段）は既に読取った１枚目の帳票２０に記載された帳票読取制御情報２１にしたがい３枚目の帳票２０のイメージデータをスキャナ部１３で読取る。
次に、帳票読取装置１の制御部１５の指示によりスキャナ部１３は４枚目の帳票２０に記載された帳票読取制御情報２１を読取るが、制御部１５（帳票読取要否判定手段）は既に読取った１枚目の帳票２０に記載された帳票読取制御情報２１にしたがい４枚目の帳票２０のイメージデータをスキャナ部１３で読取らない。
【００３０】
次に、帳票読取装置１の制御部１５の指示によりスキャナ部１３は５枚目の帳票２０に記載された帳票読取制御情報２１を読取り、制御部１５（帳票読取要否判定手段）は既に読取った１枚目の帳票２０に記載された帳票読取制御情報２１にしたがい５枚目の帳票２０のイメージデータをスキャナ部１３で読取る。
このようにして顧客毎の５枚の帳票群を処理する。
【００３１】
以降、６枚目、７枚目、８枚目、９枚目、１０枚目の帳票２０を上述した１枚目、２枚目、３枚目、４枚目、５枚目の帳票２０と同様に処理し、６，８，１０枚目を読取り、７，９枚目は読取らないようにする。
また、異常処理手段としての制御部１５は帳票２０を読取る動作において帳票詰まり等の異常に発生を検知した場合は、その異常の原因が除去され、異常の復旧が検知された後、帳票読取装置１は異常が発生した帳票２０、すなわち異常の復旧が検知された後、最初の帳票２０の帳票読取制御情報２１を読取り、以降その帳票読取制御情報２１にしたがって帳票２０を読取るものとする。
【００３２】
例えば、９枚目（１帳票群の中では４枚目）の帳票２０を読取る動作で帳票詰まり等の異常が発生した場合、帳票読取装置１は再度９枚目の帳票読取制御情報２１を読取り、９枚目の帳票２０は読取る必要がないことを認識し、以降その帳票読取制御情報２１にしたがって帳票群の中では５枚目である１０枚目の帳票２０を読取るものとする。
このようにして帳票読取装置１は読取る必要のない帳票２０は読取ることなく、読取る必要のある帳票２０だけを読取るようにすることができる。
【００３３】
なお、本実施例では帳票２０の読取順位に基づいて帳票２０の読取要否を判定するようにしたが、帳票ＩＤに基づいて読取要否を判定するようにしてもよい。
以上説明したように、第１の実施例では、帳票読取装置１は読取る必要のない帳票は読取ることなく、読取る必要のある帳票だけを読取るようにしたことにより、読取る必要がない帳票が混在している場合であっても、その帳票を抜き取る必要がなく、操作者の作業負担を軽減することができるという効果が得られる。
【実施例２】
【００３４】
第２の実施例では読取る帳票２０の順序の誤りがあった場合の帳票読取り処理を説明するが、第２の実施例の構成は、第１の実施例の構成と同様なので同一の符号を付してその説明を省略する。
第２の実施例の構成の作用について、図７の第２の実施例における帳票読取り処理を示すフローチャートの図中Ｓで表すステップにしたがって説明する。
【００３５】
まず、帳票読取装置１の記憶部１４には、帳票２０の帳票読取制御情報２１に関わらず強制的に帳票２０のイメージデータを読取る「強制読取モード」を記憶する領域が設けられているものとし、その「強制読取モード」は解除されるように初期化されているものとする。
Ｓ１：帳票読取装置１の制御部１５の指示によりスキャナ部１３は１枚の帳票２０の帳票読取制御情報２１を読取る。読取った帳票読取制御情報２１は、例えば図８に示すように１枚目の帳票２０であれば帳票ＩＤ２１１が「１」、１セットの枚数２１２が「５」、および読取要否２１３が「Ｒ１Ｎ８Ｒ７Ｎ６Ｒ９」となっている。
【００３６】
Ｓ２：制御部１５は記憶部１４に記憶した「強制読取モード」を読取り、強制読取モードであるか否かを判定する。その結果、強制読取モードであると判定されると処理をＳ９へ移行し、強制読取モードでないと判定されると処理をＳ３へ移行する。
Ｓ３：帳票順位誤り判定手段としての制御部１５は読取った帳票読取制御情報２１から読取る帳票２０の順序に誤りがあるか否かを判定する。
【００３７】
ここで、制御部１５は読取る帳票２０の順序を読取った帳票読取制御情報２１の読取要否２１３から認識する。例えば、図８に示すように読取要否２１３が「Ｒ１Ｎ８Ｒ７Ｎ６Ｒ９」の場合、１枚目の帳票ＩＤは「１」、２枚目の帳票ＩＤは「８」、３枚目の帳票ＩＤは「７」、４枚目の帳票ＩＤは「６」、５枚目の帳票ＩＤは「９」であると認識する。
一方、読取った帳票２０の帳票ＩＤは帳票読取制御情報２１の帳票ＩＤ２１１で認識することができる。
【００３８】
したがって、制御部１５（帳票順位誤り判定手段）は読取った帳票２０の帳票ＩＤ２１１が読取要否２１３の順序になっているか否かを判定する。
図８に示すように、制御部１５は８枚目に読取った帳票２０の帳票読取制御情報２１の帳票ＩＤ２１１から帳票ＩＤが「６」であると認識し、また読取要否２１３から８枚目（１帳票群の中では３枚目）に読取るべき帳票ＩＤは「７」であると認識する。しかし、読取った帳票ＩＤが「６」であるため、読取るべき帳票ＩＤは「７」と異なることから制御部１５は読取る順序に誤りがあると判定する。
【００３９】
読取った帳票２０の順序に誤りがあると判定すると処理をＳ４へ移行し、誤りがないと判定すると処理をＳ５へ移行する。
Ｓ４：読取った帳票２０の順序に誤りがあると判定すると制御部１５は記憶部１４に「強制読取モード」を記憶させて強制読取モードを設定し、処理をＳ９へ移行する。
Ｓ５：一方、読取った帳票２０の順序に誤りがないと判定すると制御部１５は読取要否２１３から当該帳票２０のイメージデータを読取る必要があるか否かを判定する。その結果、読取る必要があると判定すると処理をＳ６へ移行し、読取る必要がないと判定すると処理をＳ７へ移行する。
【００４０】
Ｓ６：次に、制御部１５の指示によりスキャナ部１３は帳票２０のイメージデータを読取る。
Ｓ７：制御部１５は帳票読取制御情報２１を読取った帳票２０の枚数が１セットの枚数２１２に達したか否か、すなわち１セットの帳票２０を処理したか否かを判定する。その結果、終了していないと判定すると処理をＳ１へ移行して次の帳票２０を処理し、終了していると判定すると処理をＳ８へ移行する。
【００４１】
Ｓ８：制御部１５は帳票吸入部に載置された帳票２０が存在するか否か、すなわちすべての帳票２０の処理が終了したか否かを判定する。すべての帳票２０の処理が終了したと判定すると帳票読取処理を終了し、すべての帳票２０の処理が終了していないと判定すると処理をＳ１へ移行して次の帳票２０を処理するようにする。
Ｓ９：強制読取モードが設定されている場合、帳票２０の帳票読取制御情報２１に関わらず制御部１５の指示によりスキャナ部１３は帳票２０のイメージデータを読取る。制御部１５は読取った帳票２０のイメージデータを帳票ＩＤと関連付けて記憶部１４に記憶させる。
【００４２】
Ｓ１０：帳票２０のイメージデータを読取ると帳票順位復旧検知手段としての制御部１５は読取った帳票読取制御情報２１の帳票ＩＤ２１１および読取要否２１３から次に読取るべき帳票ＩＤか否かを判定する。
例えば、図８に示すように８枚目の帳票２０で読取順序の誤りを検出した場合、制御部１５は８枚目（１帳票群の中では３枚目）に読取るべき帳票ＩＤは読取要否２１３から「７」であると認識し、読取った帳票読取制御情報２１の帳票ＩＤ２１１が「７」であるか否かを判定する。図８においては９枚目に読取った帳票読取制御情報２１の帳票ＩＤ２１１が「７」であるため、次に読取るべき帳票ＩＤである（すなわち８枚目で読み取るべきであった帳票ＩＤである）と判定する。
【００４３】
その結果、次に読取るべき帳票ＩＤであると判定すると処理をＳ１１へ移行し、次に読取るべき帳票ＩＤでないと判定すると処理をＳ１４へ移行する。
Ｓ１１：次に読取るべき帳票ＩＤであると判定すると制御部１５は記憶部１４に記憶した「強制読取モード」を初期化して強制読取モードを解除する。
Ｓ１２：強制読取モードを解除すると制御部１５は読取った帳票読取制御情報２１の読取要否２１３から記憶部１４に帳票ＩＤと関連付けて記憶させた帳票２０のイメージデータを消去する必要があるか否かを判定する。
【００４４】
読取要否２１３から読取る必要のない帳票ＩＤ（すなわち当該セットの読取要否２１３においてＮの後に示されたＩＤ）のイメージデータが記憶部１４に記憶されている場合、消去する必要があると判断する。
帳票２０のイメージデータを消去する必要があると判定すると処理をＳ１３へ移行し、必要がないと判定すると処理をＳ７へ移行する。
【００４５】
Ｓ１３：帳票２０のイメージデータを消去する必要があると判定すると制御部１５は帳票読取制御情報２１の読取要否２１３にしたがって記憶部１４に記憶させた帳票２０のイメージデータのうち読取不要な帳票ＩＤのイメージデータを消去して処理をＳ７へ移行する。
Ｓ１４：Ｓ１０において次に読取るべき帳票ＩＤでないと判定すると制御部１５は読取った帳票読取制御情報２１の帳票ＩＤ２１１および読取要否２１３から読取った帳票ＩＤが読取要否２１３に存在するか否か、すなわち読取り対象外の帳票ＩＤであるか否かを判定する。
【００４６】
その結果、対象外であると判定されると規定外の帳票を読取ったとして処理をＳ１６へ移行し、対象外でないと判定されると処理をＳ１５へ移行する。
Ｓ１５：制御部１５は帳票読取制御情報２１を読取った帳票２０の枚数が１セットの枚数２１２に達したか否か、すなわち１セットの帳票２０を処理したか否かを判定する。その結果、終了していないと判定すると処理をＳ７へ移行し、終了していると判定すると読取るべき帳票ＩＤが現れなかったとして処理をＳ１６へ移行する。
【００４７】
Ｓ１６：制御部１５は異常を検知したとしてその旨を表示部１１に表示させるとともに動作を停止し、帳票読取り処理を異常終了させる。
このように帳票読取装置１は読取る帳票の順序の誤りを検知した場合、帳票の読取り順序で帳票のイメージデータの読取要否を判定することが不可能になるため、帳票ＩＤで帳票のイメージデータの読取要否を判定する処理を行い、読取る帳票の順序が誤った状態で帳票吸入部に載置された場合であっても、読取る必要のない帳票は読取ることなく、読取る必要のある帳票だけを読取ることができる。
【００４８】
以上説明したように、第２の実施例では、第１の実施例の効果に加え、読取る帳票の順序が誤った状態で帳票吸入部に載置された場合であっても、帳票読取装置１は読取る必要のない帳票は読取ることなく、読取る必要のある帳票だけを読取るようにすることができ、さらに操作者の作業負担を軽減することができるという効果が得られる。
【図面の簡単な説明】
【００４９】
【図１】第１の実施例におけるデータエントリシステムの構成を示すブロック図
【図２】第１の実施例における帳票読取装置の構成を示すブロック図
【図３】第１の実施例における帳票読取り処理の流れを示す説明図
【図４】第１の実施例における帳票読取装置の帳票読取り処理の説明図
【図５】第１の実施例における帳票読取制御情報の構成を示す説明図
【図６】第１の実施例における帳票読取り順序を示す説明図
【図７】第２の実施例における帳票読取り処理を示すフローチャート
【図８】第２の実施例における帳票読取り順序を示す説明図
【符号の説明】
【００５０】
１    帳票読取装置
２    帳票識別装置
３    帳票ＤＢサーバ
４    通信回線
５    帳票イメージ参照端末
６    ＰＣ
１１  表示部
１２  入力部
１３  スキャナ部
１４  記憶部
１５  制御部
【図１】
2009064227.tif 000003
【図２】
2009064227.tif 000004
【図３】
2009064227.tif 000005
【図４】
2009064227.tif 000006
【図５】
2009064227.tif 000007
【図６】
2009064227.tif 000008
【図７】
2009064227.tif 000009
【図８】
2009064227.tif 000010